(57)【要約】【課題】アプリケーション提供システムにおいて、顧客によるアプリのインストール意欲を高める。【解決手段】アプリ提供システムは、特典付与サーバーを備えている。特典付与サーバーは、ユーザー端末のユーザーが店舗にて商品代金の清算を行った際に、当該ユーザーの識別情報を発行する識別情報発行部３０３ａと、該識別情報を記憶する記憶部３０２と、ユーザー端末から送信されたユーザーの識別情報と記憶部３０２に記憶されているユーザーの識別情報とを照合することでユーザー認証を行う認証部３０３ｂと、該認証部３０３ｂにおけるユーザー認証に成功した場合に、当該ユーザー端末のユーザーに対して所定の特典を付与する特典付与部３０３ｃとを備えている。【選択図】図３
2020106947.tif 000002
【特許請求の範囲】
【請求項１】
アプリケーションソフトウェアが格納されたアプリ配信サーバーと、該アプリ配信サーバーから該アプリケーションソフトウェアをダウンロード可能なユーザー端末とを含むアプリケーション提供システムであって、
上記ユーザー端末と通信可能な特典付与サーバーをさらに備え、
上記特典付与サーバーは、上記ユーザー端末のユーザーが店舗にて商品代金の清算を行った際に、当該ユーザーの識別情報を発行する識別情報発行部と、上記識別情報発行部が発行した識別情報を記憶する記憶部とを備え、
上記アプリケーションソフトウェアは、上記ユーザー端末にダウンロードされてインストールされると、当該ユーザー端末におけるユーザーの所定入力操作を基に又は自動的に、当該ユーザー端末のユーザーの識別情報を取得して、該取得した識別情報を上記特典付与サーバーに送信する機能を備えており、
上記特典付与サーバーは、上記ユーザー端末から送信されたユーザーの識別情報と、上記記憶部に記憶されているユーザーの識別情報とを照合することでユーザー認証を行う認証部と、該認証部におけるユーザー認証に成功した場合に、当該ユーザー端末のユーザーに対して所定の特典を付与する特典付与部とを備えている、アプリケーション提供システム。
【請求項２】
請求項１記載のアプリケーション提供システムにおいて、
上記アプリケーションソフトウェアは、当該アプリケーションソフトウェアが上記ユーザー端末にインストールされた時刻を取得して、当該ユーザー端末のユーザーの識別情報と紐付けして上記特典付与サーバーに送信する機能を備え、
上記特典付与部は、上記ユーザー端末から送信されたアプリケーションソフトウェアのインストール時刻と、上記識別情報発行部における当該ユーザー端末のユーザーの識別情報の発行時刻との時間差を算出して、該時間差が小さいほど当該ユーザーに付与する特典を増加させるように構成されている、アプリケーション提供システム。
【請求項３】
請求項１又は２記載のアプリケーション提供システムにおいて、
上記特典付与サーバーは、上記アプリケーションのインストール場所としての推奨度が互いに異なる複数の場所と、該各場所の位置情報とを紐付けして推奨場所情報として記憶する場所記憶部をさらに備え、
上記アプリケーションソフトウェアは、当該アプリケーションソフトウェアがインストールされたユーザー端末が、当該端末の位置情報を測定する位置測定部を有している場合に、該アプリケーションソフトウェアの該インストール時における該ユーザー端末の位置情報を該位置測定部より取得して当該ユーザー端末のユーザーの識別情報と紐付けて上記特典付与サーバーに送信する機能を有しており、
上記特典付与部は、上記ユーザー端末から送信された上記位置情報を基に、該ユーザー端末に上記アプリケーションソフトウェアがインストールされた時の該ユーザー端末の位置をインストール位置として特定し、上記推奨場所情報を基に、該特定したインストール位置が上記複数の場所のうちのいずれに属するかを特定し、該特定した場所の上記インストール場所としての推奨度が高いほど、当該ユーザー端末のユーザーに付与する特典を増加させるように構成されている、アプリケーション提供システム。
【請求項４】
請求項１乃至３のいずれか一項に記載のアプリケーション提供システムにおいて、
上記ユーザー端末は、モバイル端末である、アプリケーション提供システム。
【請求項５】
請求項１乃至４のいずれか一項に記載のアプリケーション提供システムにおいて、
上記識別情報は、バーコード情報であり、
上記店舗には、上記特典付与サーバーにネットワークを介して接続されたレジ端末が設けられ、
上記レジ端末は、上記特典付与サーバーより受信した上記識別情報としてのバーコード情報に対応するバーコード画像を、代金の明細を表示するレシートに印刷する印刷部を有している、アプリケーション提供システム。
【請求項６】
請求項５記載のアプリケーション提供システムにおいて、
上記所定操作は、上記ユーザー端末における上記バーコード画像の読込み操作である、アプリケーション提供システム。
【請求項７】
アプリケーションソフトウェアを、アプリ配信サーバーからユーザー端末にダウンロードして提供するアプリケーション提供方法であって、
上記ユーザー端末と通信可能な特典付与サーバーを予め準備する工程と、
上記ユーザー端末のユーザーが店舗にて商品代金の清算を行った際に、上記特典付与サーバーが当該ユーザーの識別情報を発行する識別情報発行工程と、
上記特典付与サーバーが、上記識別情報発行工程で発行した識別情報を記憶する記憶工程と、を備え、
上記アプリケーションソフトウェアは、上記ユーザー端末にダウンロードされてインストールされると、当該ユーザー端末におけるユーザーの所定入力操作を基に又は自動的に、当該ユーザー端末のユーザーの識別情報を取得して、該取得した識別情報を上記特典付与サーバーに送信する機能を備えており、
上記特典付与サーバーが、上記ユーザー端末から送信されたユーザーの識別情報と、上記記憶工程にて記憶したユーザーの識別情報とを照合することでユーザー認証を行う認証工程と、
上記認証工程におけるユーザー認証に成功した場合に、当該ユーザー端末のユーザーに対して所定の特典を付与する特典付与工程とをさらに備えている、アプリケーション提供方法。
【請求項８】
アプリ配信サーバーから該アプリケーションソフトウェアをダウンロード可能なユーザー端末であって、
特典付与サーバーに通信可能に接続されるネットワーク通信部を備え、
上記特典付与サーバーは、上記ユーザー端末のユーザーが店舗にて商品代金の清算を行った際に、当該ユーザーの識別情報を発行する識別情報発行部と、上記識別情報発行部が発行した識別情報を記憶する記憶部とを備え、
上記アプリケーションソフトウェアは、上記ユーザー端末にダウンロードされてインストールされると、当該ユーザー端末におけるユーザーの所定入力操作を基に又は自動的に、当該ユーザー端末のユーザーの識別情報を取得して、該取得した識別情報を上記特典付与サーバーに送信する機能を備えており、
上記特典付与サーバーは、上記ユーザー端末から送信されたユーザーの識別情報と、上記記憶部に記憶されているユーザーの識別情報とを照合することでユーザー認証を行う認証部と、該認証部におけるユーザー認証に成功した場合に、当該ユーザー端末のユーザーに対して所定の特典を付与する特典付与部とを備えている、ユーザー端末。
【発明の詳細な説明】
【技術分野】
【０００１】
本発明は、アプリケーション提供システム、アプリケーション提供方法、及びユーザー端末に関する。
【背景技術】
【０００２】
従来より、スマートフォンやタブレット端末などの携帯端末の利用者は、インターネット上のアプリ配布サイトにアクセスし、自分のお気に入りのアプリケーションをダウンロードして自機にインストールし、随時にそのアプリケーションプログラムを使用している。例えば、特許文献１には、インターネットを経由して携帯端末にアプリケーションをインストールする方法が開示されている。
【先行技術文献】
【特許文献】
【０００３】
【特許文献１】特開２０１０−２１８３９７号公報
【発明の概要】
【発明が解決しようとする課題】
【０００４】
近年、コンビニエンスストア等では、商品を購入した顧客に所定のアプリケーション（（以下、アプリという）をインストールしてもらうことで、アプリを通じて顧客情報を得たり、アプリを通じて商品の広告宣伝を行ったりする販売手法が普及しつつある。
【０００５】
しかし、アプリのダウンロードを含むインストール作業は、顧客にとっては時間のかかる煩わしい作業である。このため、店員が顧客にインストール方法を教えたとしても、結局のところ、アプリをインストールしないケースが多い。
【０００６】
本発明は、かかる点に鑑みてなされたものであり、その目的とするところは、顧客によるアプリのインストール意欲を高めることで、ユーザー端末へのアプリのインストールを確実に実行させることにある。
【課題を解決するための手段】
【０００７】
本発明の一局面に係るアプリケーション提供システムは、アプリケーションソフトウェアが格納されたアプリ配信サーバーと、該アプリ配信サーバーから該アプリケーションソフトウェアをダウンロード可能なユーザー端末とを含む。
【０００８】
そして、上記ユーザー端末と通信可能な特典付与サーバーをさらに備え、上記特典付与サーバーは、上記ユーザー端末のユーザーが店舗にて商品代金の清算を行った際に、当該ユーザーの識別情報を発行する識別情報発行部と、上記識別情報発行部が発行した識別情報を記憶する記憶部とを備え、上記アプリケーションソフトウェアは、上記ユーザー端末にダウンロードされてインストールされると、当該ユーザー端末におけるユーザーの所定入力操作を基に又は自動的に、当該ユーザー端末のユーザーの識別情報を取得して、該取得した識別情報を上記特典付与サーバーに送信する機能を備えており、上記特典付与サーバーは、上記ユーザー端末から送信されたユーザーの識別情報と、上記記憶部に記憶されているユーザーの識別情報とを照合することでユーザー認証を行う認証部と、該認証部におけるユーザー認証に成功した場合に、当該ユーザー端末のユーザーに対して所定の特典を付与する特典付与部とを備えている。
【０００９】
本発明の他の局面に係るアプリケーション提供方法は、アプリケーションソフトウェアを、アプリ配信サーバーからユーザー端末にダウンロードして提供するアプリケーション方法である。
【００１０】
そして、上記ユーザー端末と通信可能な特典付与サーバーを予め準備する工程と、上記特典付与サーバーが、上記ユーザー端末のユーザーが店舗にて商品代金の清算を行った際に、当該ユーザーの識別情報を発行する識別情報発行工程と、上記特典付与サーバーが、上記識別情報発行工程で発行した識別情報を記憶する記憶工程と、を備え、上記アプリケーションソフトウェアは、上記ユーザー端末にダウンロードされてインストールされると、当該ユーザー端末におけるユーザーの所定入力操作を基に又は自動的に、当該ユーザー端末のユーザーの識別情報を取得して、該取得した識別情報を上記特典付与サーバーに送信する機能を備えており、上記特典付与サーバーが、上記ユーザー端末から送信されたユーザーの識別情報と、上記記憶部に記憶されているユーザーの識別情報とを照合することでユーザー認証を行う認証工程と、上記認証工程におけるユーザー認証に成功した場合に、当該ユーザー端末のユーザーに対して所定の特典を付与する特典付与工程とをさらに備えている。
【００１１】
本発明の他の局面に係るユーザー端末は、アプリ配信サーバーから該アプリケーションソフトウェアをダウンロード可能な端末である。
【００１２】
そして、特典付与サーバーに通信可能に接続されるネットワーク通信部を備え、上記特典付与サーバーは、上記ユーザー端末のユーザーが店舗にて商品代金の清算を行った際に、当該ユーザーの識別情報を発行する識別情報発行部と、上記識別情報発行部が発行した識別情報を記憶する記憶部とを備え、上記アプリケーションソフトウェアは、上記ユーザー端末にダウンロードされてインストールされると、当該ユーザー端末におけるユーザーの所定入力操作を基に又は自動的に、当該ユーザー端末のユーザーの識別情報を取得して、該取得した識別情報を上記特典付与サーバーに送信する機能を備えており、上記特典付与サーバーは、上記ユーザー端末から送信されたユーザーの識別情報と、上記記憶部に記憶されているユーザーの識別情報とを照合することでユーザー認証を行う認証部と、該認証部におけるユーザー認証に成功した場合に、当該ユーザー端末のユーザーに対して所定の特典を付与する特典付与部とを備えている。
【発明の効果】
【００１３】
本発明によれば、顧客によるアプリのインストール意欲を高めることで、ユーザー端末へのアプリのインストールを確実に実行させることができる。
【図面の簡単な説明】
【００１４】
【図１】図１は、本実施形態のアプリケーション提供システムを示す概略構成図である。
【図２】図２は、モバイル端末の構成を示す図である。
【図３】図３は、特典付与サーバー及び清算レジの構成を示す図である。
【図４】図４は、清算レジにおけるバーコード発行処理を示すフローチャートである。
【図５】図５は、モバイル端末におけるアプリケーションのダウンロード処理及びインストール処理を示すフローチャートである。
【図６】図６は、特典付与サーバーにおけるポイント付与処理を示すフローチャートである。
【図７】図７は、本実施形態の特典付与サーバーにてポイント数を計算する際に使用される時間差Ｔと時刻係数αとの関係を説明するための説明図である。
【図８】図８は、変形例における図７相当図である。
【図９】図９は、変形例における図７相当図である。
【図１０】図１０は、本実施形態の特典付与サーバーにてポイント数を計算する際に使用される場所係数データの説明図である
【発明を実施するための形態】
【００１５】
以下、本発明の実施形態を図面に基づいて詳細に説明する。尚、本発明は、以下の実施形態に限定されるものではない。
【００１６】
［アプリケーション提供システム１の概要］  
【００１７】
図１は、本実施形態におけるアプリケーション提供システム１の一例を示す略構成図である。このアプリケーション提供システム１は、アプリ配信サーバー１００とモバイル端末２００と特典付与サーバー３００とレジ端末４００とを有している。アプリ配信サーバー１００は、インターネット５００に接続されている。また、特典付与サーバー３００及びレジ端末４００は、店舗内に設けられたネットワーク６００に接続され、ネットワーク６００はルーター７００を介してインターネット５００に接続されている。ネットワーク６００は、例えばＬＡＮ(Local Area Network)等により構成されている。モバイル端末２００は、不図示のアクセスポイントを介してインターネット５００に接続される。モバイル端末２００は、インターネット５００を経由してアプリ配信サーバー１００から所定のアプリをダウンロード可能になっている。
【００１８】
このアプリケーション提供システム１では、先ず、（１）ユーザーが店舗内で商品を購入することでバーコード画像が印刷されたレシートが発行され、（２）ユーザーが、店員の指定したアプリ配信サーバーから所定のアプリ２を端末にダウンロードしてインストールし、（３）このインストール時に、レシートに付与されたバーコード画像をモバイル端末２００に読込ませると、バーコード情報が特典付与サーバー３００に送信されてユーザー認証が実行され、（４）この認証に成功すると、ユーザーに対してポイントが付与される仕組みになっている。付与されたポイントは特典付与サーバー３００に記憶されて管理される。以下、アプリケーション提供システム１を構成する各構成要素を具体的に説明する。
【００１９】
［アプリ配信サーバー１００］
アプリ配信サーバー１００は、アプリケーションソフトウェア２（以下、単にアプリという）を格納するハードディスク等の記憶媒体を有している。アプリ配信サーバー１００の一例として、Ｇｏｏｇｌｅ  Ｐｌａｙ（登録商標）などのウェブサイトが考えられる。この場合には、アプリ配信サーバー１００にアクセスしたモバイル端末２００の操作パネル２０１（タッチパネル）に該アプリ２のインストールページが表示される。モバイル端末２００のユーザーは、アプリ２のダウンロードに同意する場合には、「ダウンロード」等の表示があるボタンにタッチする。これにより、アプリ２がモバイル端末２００にダウンロードされてインストールされる。このアプリ２として、例えば広告サーバーから配信される宣伝広告を受信する広告アプリ等を採用してもよい。
【００２０】
［モバイル端末２００の構成］  
図２を参照してモバイル端末２００の具体的構成を説明する。モバイル端末２００は、例えば、携帯電話（例えばスマートフォン）、ＰＤＡ、ノートＰＣ、タブレットＰＣ等の可搬型の端末である。
【００２１】
モバイル端末２００は、操作パネル２０１と、ネットワーク通信部２０２と、記憶部２０３と、位置測定部２０４と、制御部２０５とを備えている。各部２０１〜２０５、図示しないバス線を介して相互に接続されている。
【００２２】
操作パネル２０１は、モバイル端末２００に対する操作項目や各種情報の表示、及びユーザーによる操作を受付ける液晶式のタッチパネルからなる。ユーザーは、操作パネル２０１を指で操作することによって、様々な指示をモバイル端末２００に与えることができる。
【００２３】
ネットワーク通信部２０２は、モバイル端末２００を不図示のアクセスポイントからインターネット５００に接続する。そして、ネットワーク通信部２０２は、インターネット５００にネットワーク６００を介して接続された特典付与サーバー３００とデータの送受信を行う。また、ネットワーク通信部２０２は、インターネット５００に接続されたアプリ配信サーバー１００からデータを受信する。
【００２４】
記憶部２０３は、フラッシュメモリ等からなる補助記憶装置である。記憶部２０３には、例えば、アプリ配信サーバー１００からダウンロードしてインストールされたアプリ２や、モバイル端末２００のユーザーの識別情報（実施形態ではバーコード情報）等が記憶される。
【００２５】
位置測定部２０４は、モバイル端末２００の位置を測定して、測定した位置情報を制御部２０５に受け渡す。位置測定部２０４は、例えばＧＰＳ装置やＷｉｆｉを利用した位置測定アプリ等によって構成される。
【００２６】
制御部２０５は、ＣＰＵを有していて、記憶部２０３に記憶されているプログラム（上記アプリ２のプログラム等を含む）に従って様々な処理を実行する。
【００２７】
具体的には、制御部２０５は、ダウンロード処理部２０５ａとインストール処理部２０５ｂとバーコード処理部２０５ｃとを有している。
【００２８】
ダウンロード処理部２０５ａは、上述したようにユーザーによる所定のダウンロード操作を検知したときに、アプリ配信サーバー１００からアプリをインターネット５００経由で受信して記憶部２０３に記憶させる。
【００２９】
インストール処理部２０５ｂは、アプリ２のダウンロード後に自動で又はユーザーによる所定のインストール操作を検知したときに、アプリ２をモバイル端末２００にインストールする。
【００３０】
インストール処理部２０５ｂはさらに、アプリ２をモバイル端末２００にインストールした時刻を特定する。また、インストール処理部２０５ｂは、位置測定部２０４よる測定結果を基に、アプリ２をモバイル端末２００にインストールした時の該モバイル端末２００の位置を特定する。そして、インストール処理部２０５ｂは、特定した時刻情報と位置情報とを特典付与サーバー３００に送信する。
【００３１】
バーコード処理部２０５ｃは、ユーザーがレジ端末４００で受け取ったレシートに印刷されたバーコード画像を読込んで、該バーコード画像に対応するバーコード情報を取得する。
【００３２】
［特典付与サーバー３００の構成］  
次に、図３を参照して特典付与サーバー３００の具体的構成を説明する。
特典付与サーバー３００は、ネットワーク通信部３０１と、記憶部３０２と、制御部３０３とを有している。ネットワーク通信部３０１は、特典付与サーバー３００をインターネット５００に接する。
【００３３】
記憶部３０２は、フラッシュメモリ等からなる補助記憶装置である。記憶部３０２は、後述するバーコード情報発行部３０３ａが発行したバーコード情報（ユーザー識別情報の一例）と、後述するポイント付与部３０３ｃが当該ユーザーに対して付与したポイント数とを紐付けして記憶する。
また、記憶部３０２には、ユーザーがアプリ２をユーザー端末２００にインストールする場所の候補である複数の場所がそれぞれの位置情報と紐付けして推奨場所情報として記憶されている。
各場所に対するアプリ２のインストール場所としての推奨度は、互いに異なっている。本実施形態では、複数の場所として、第一推奨場所と、第二推奨場所と、他の場所とが予め記憶されており、第一推奨場所は、例えばユーザーが買い物をした上記店舗内とされ、第二推奨場所は、例えば当該店舗と同じ会社の系列店舗内、又は予め業務提携した会社の店舗（提携店舗）内とされ、他の場所は、第一及び第二推奨場所以外の場所（例えば自宅等）とされている。この例では、推奨度の大小関係は、第一推奨場所＞第二推奨場所＞他の場所となっている。
【００３４】
制御部３０３は、バーコード情報発行部（識別情報発行部）３０３ａと、ユーザー認証部３０３ｂと、ポイント付与部（特典付与部）３０３ｃとを有している。  
【００３５】
バーコード情報発行部３０３ａは、レジ端末４００で代金の清算を行った各顧客（ユーザー）に対してバーコード情報を発行する。
【００３６】
ユーザー認証部３０３ｂは、モバイル端末２００から受信したバーコード情報と、上記記憶部３０２に記憶されたバーコード情報とを照合することで、該モバイル端末２００のユーザーがレジ端末４００で商品を購入した顧客本人である否かの認証（以下、ユーザー認証という）を実行する。
【００３７】
ポイント付与部３０３ｃは、ユーザー認証部３０３ｂがユーザー認証に成功した場合に、当該ユーザーに対してポイントを付与する。ここで、ポイント付与部３０３ｃは、モバイル端末２００から受信したアプリ２のインストール時刻及びインストール位置に応じて、ポイント数を決定する。このポイント数の決定方法の詳細は後述する。
【００３８】
［レジ端末４００の具体的構成］
レジ端末４００は、清算完了ボタン４０１とバーコード印刷部４０２と制御部４０３とを有している。
清算完了ボタン４０１は、レジ端末４００にて代金の精算が完了したときに店員により押下される。清算完了ボタン４０１が押下されると、レジ端末４００における代金の計算処理がリセットされて次の清算処理に移行するとともに、代金明細を記載したレシートが発行される。清算完了ボタン４０１は制御部４０３に接続されており、この清算完了ボタン４０１の押圧信号は、制御部４０３を介して特典付与サーバー３００に送信される。
【００３９】
印刷部４０２は、清算完了ボタン４０１が押下されると、特典付与サーバー３００のバーコード情報発行部３０３ａからの指令を受けて、上記レシートに代金明細とバーコード画像（バーコード情報に対応する画像）とを印刷する。
【００４０】
［アプリケーション提供システム１にて実行される処理フローの説明］
以上のように構成されたアプリケーション提供システム１にて実行される処理を、図４〜図６のフローチャートを参照しながら順に説明する。  
【００４１】
先ず、図４を参照して、顧客がレジ端末４００にて商品代金の精算を行う際に特典付与サーバー３００にて実行される処理を説明する。
【００４２】
ステップＳ１０１では、バーコード情報発行部３０３ａが、レジ端末４００からの信号を基に清算処理が開始したか否かを判定し、この判定のＮＯである場合にはリターンする一方、ＹＥＳである場合にはステップＳ１０２に進む。
【００４３】
ステップＳ１０２では、バーコード情報発行部３０３ａが、乱数等を用いてバーコード情報を発行する。
【００４４】
ステップＳ１０３では、バーコード情報発行部３０３ａが、レジ端末４００からの信号を基に清算処理が終了したか否かを判定し、この判定がＮＯである場合にはリターンする一方、ＹＥＳである場合にはステップＳ１０４に進む。
【００４５】
ステップＳ１０４では、バーコード情報発行部３０３ａが、レジ端末４００の印刷部４０２に対して、上記発行したバーコード情報のバーコード画像を印刷するように指令を行う。本ステップＳ１０４の処理後はリターンする。
【００４６】
［モバイル端末２００おける処理フロー］
次に、図５を参照して、モバイル端末２００のユーザーがアプリ２をインストールする際にモバイル端末２００にて実行される処理を説明する。
【００４７】
ステップＳ２０１、ダウンロード処理部２０５ａが、操作パネル２０１からの信号を基に、ユーザーによるダウンロード操作が実行されたか否かを判定し、この判定がＮＯである場合にはリターンする一方、ＹＥＳである場合にはステップＳ２０２に進む。
【００４８】
ステップＳ２０２では、ダウンロード処理部２０５ａが、アプリ配信サーバー１００からアプリ２のダウンロードを実行する。
【００４９】
ステップＳ２０３では、インストール処理部２０５ｂが、操作パネル２０１からの信号を基に、ユーザーによるインストール操作が実行されたか否かを判定し、この判定がＮＯである場合にはリターンする一方、ＹＥＳである場合にはステップＳ２０４に進む。
【００５０】
ステップＳ２０４では、アプリ２のモバイル端末２００へのインストールを実行する。
【００５１】
ステップＳ２０５では、アプリ２が自動的に起動する。
【００５２】
ステップＳ２０６では、アプリ２が、インストール処理部２０５ｂの一部として機能して、該アプリ２のインストール時刻と該インストール時のモバイル端末２００の位置（以下、インストール位置という）とを取得する。
【００５３】
ステップＳ２０７では、バーコード処理部２０５ｃが、操作パネル２０１からの信号を基に、ユーザーによるバーコード画像の読込み操作（バーコード画像を内蔵カメラで撮像して読込み開始ボタンを押す等の操作であって所定操作に相当）があったか否かを判定する。この判定がＮＯである場合にはリターンする一方、ＹＥＳである場合にはステップＳ２０８に進む。
【００５４】
ステップＳ２０８では、バーコード処理部２０５ｃが、読込んだバーコード画像を画像処理してバーコード情報（例えば数列又は文字列からなる情報）を取得する。
【００５５】
ステップＳ２０９では、インストール処理部２０５ｂが、アプリ２のインストール時刻とインストール位置とステップＳ２０８で取得したバーコード情報とを紐付けしてインストール完了情報として生成する。そして、生成したインストール完了情報を特典付与サーバー３００に送信する。本ステップＳ２０９の送信処理が終了した後はリターンする。
【００５６】
［特典付与サーバー３００における処理フロー］
次に、図６を参照して、モバイル端末２００から特典付与サーバー３００にインストール完了情報が送信された後に、該特典付与サーバー３００にて実行される処理を説明する。
【００５７】
ステップＳ３０１では、ユーザー認証部３０３ｂが、モバイル端末２００よりインストール完了情報を受信したか否かを判定し、この判定がＮＯである場合にはリターンする一方、ＹＥＳである場合にはステップＳ３０２に進む。
【００５８】
ステップＳ３０２では、ユーザー認証部３０３ｂが、インストール完了情報に含まれるバーコード情報と、記憶部３０２に記憶されている各ユーザーのバーコード情報とを照合することで（一致するか否かを判定することで）、モバイル端末２００のユーザーが商品を購入した顧客であるか否かの認証（ユーザー認証）を行う。
【００５９】
ステップＳ３０３では、ユーザー認証部３０３ｂが、ユーザー認証に成功したか否かを判定し、この判定がＮＯである場合にはリターンする一方、ＹＥＳである場合にはステップＳ３０４に進む。
【００６０】
ステップＳ３０４では、ポイント付与部３０３ｃが、インストール完了情報に含まれるアプリ２のインストール時刻とインストール位置とに応じたポイント数をユーザーに付与する。具体的には、ポイント付与部３０３ｃは、ポイント数を以下の式（１）により算出する。
【００６１】
ポイント数＝基準ポイント数×時刻係数α×場所係数β・・・‥（式１）
【００６２】
ここで、基準ポイント数は、予め定めた０よりも大きい定数である。
【００６３】
時刻係数αは、ステップＳ１０２にてバーコード情報を発行した時刻と、当該バーコード情報に対応するユーザーがモバイル端末２００にアプリ２をインストールした時刻（上記インストール完了情報に含まれるインストール時刻）との時間差Ｔの関数である。ポイント付与部３０３ｃは、この時間差Ｔが小さいほど時刻係数αを大きい値に設定する。本実施形態の例では、図７に示すように、時間差Ｔが小さいほど時刻係数αが一次関数的に増加するようにしているが、図８に示すように、階段状に増加させてもよいし、図９に示すように増加率を変化させてもよい。尚、階段状に変化させる場合は二段階の変化であってもよい。尚、図７〜図９に示す時刻係数データは、特典付与サーバー３００の記憶部３０２等に予め記憶されている。
【００６４】
場所係数βは、アプリ２のインストール位置が上記第一推奨場所と第二推奨場所と上記他の場所とのいずれに属するかに基づいて決定される。
具体的には、ポイント付与部３０３ｃは、場所係数βの決定に際して、先ず、インストール完了情報に含まれるアプリ２のインストール位置と記憶部３０２に記憶された推奨場所情報（上記三つの場所の位置情報）とを比較して、インストール位置が上記三つの場所のうちのいずれに属するかを特定する。そして、ポイント付与部３０３ｃは、図１０に示す場所係数データを基に場所係数βを決定する。図１０の例では、場所係数βは、ユーザーが買い物をした店舗内である第一推奨場所で最も高く設定され、系列店舗第内又は提携店舗内からなる二推奨場所では二番目に高く設定され、その他の場所では最も低く設定されている。尚、この場所係数データ（図１０のグラフデータ）は、特典付与サーバー３００の記憶部３０２等に予め記憶されている。
【００６５】
ステップＳ３０５では、ポイント付与部３０３ｃが、ユーザーに付与したポイント数と該ユーザーのバーコード情報と紐付けして記憶部３０２に保存し、しかる後にリターンする。
【００６６】
［ポイントの使用方法］
ユーザーがポイントを使用する際には、例えば、ユーザーがレジ端末４００の前でモバイル端末２００に記憶されたバーコード情報を提示する。そして、店員がこのバーコード情報をバーコードリーダー等により読込むことでユーザー認証を行う。このユーザー認証に成功した場合には、ユーザーのポイント使用が許可される。尚、ポイントの使用態様はこれに限ったものではなく、例えば、特典付与サーバー３００とネットバンキングシステムを連動させて、ユーザーの口座にポイント数に応じた金額を振り込むようにしてもよい。
【００６７】
［作用効果］
以上説明したように、本実施形態のアプリケーション提供システム１によれば、店舗内で商品代金の精算を行った顧客（つまり商品を購入した顧客）が、自身のモバイル端末２００にアプリ２をインストールした後、代金精算時に発行されたバーコード情報をモバイル端末２００に読込ませると、モバイル端末２００と特典付与サーバー３００との間でユーザー認証（顧客認証）が行われる。そして、このユーザー認証に成功した場合には、当該モバイル端末２００のユーザーに対して特典付与サーバー３００よりポイントが付与される。
【００６８】
したがって、顧客のアプリインストール意欲を高めて、モバイル端末２００へのアプリ２のインストールを確実に実行させることができる。また、顧客にレジ端末４００の前でアプリ２を直ぐにインストールさせる場合に比べて、レジ端末４００付近の混雑を回避することができる。
【００６９】
また、特典付与サーバー３００（ポイント付与部３０３ｃ）は、ステップＳ３０４において、ユーザーがアプリ２をモバイル端末２００にインストールした時刻が、ユーザーのバーコード情報の発行時刻に近いほど（時間Ｔが小さいほど）、ユーザーに付与するポイント数を高く設定するように構成されている。
【００７０】
これにより、ユーザーは、アプリ２のインストールを後回しにせずに、商品購入後すぐにアプリ２をインストールするよう動機付けされる。したがって、時間が経過してユーザーのインストール意欲が低下する前に、ユーザーにアプリ２のインストールを実行させることができる。
【００７１】
また、特典付与サーバー３００（ポイント付与部３０３ｃ）は、ステップＳ３０４において、ユーザーがアプリ２をモバイル端末２００にインストールした位置を特定し、特定したインストール位置が第一推奨場所と第二推奨場所とその他の場所とのいずれに属するかを特定する。そして、特典付与サーバー３００は、特定した場所のインストール場所としての推奨度が高いほどユーザーに付与するポイント数を高く設定するように構成されている。
【００７２】
この構成によれば、ユーザーは、多くのポイント数を得るために、より推奨度が高い場所でアプリ２をインストールするように動機付けされる。そして、ユーザーが買い物をした上記店舗内（第一推奨場所）でアプリ２のインストールを実行した場合には、該インストール時に付与されたポイントを使用して当該店舗内でさらに買い物を続けようという意欲が高まる。同様に、系列店舗又は提携店舗内（第二推奨場所）でアプリ２をインストールした場合には、該インストール時に付与されたポイントを使用して当該店舗内で買い物をしようという意欲が高まる。よって、ユーザーにアプリ２をインストールさせるだけでなく、店の売上げも増加させることができる。また、ユーザーが家（その他の場所）に帰るなどして他にやるべき事が増えてアプリ２のインストール意欲が低下する前に、ユーザーにアプリ２のインストールを確実に実行させることができる。
【００７３】
《他の実施形態》
上記実施形態では、ユーザーに付与する特典の一例として電子ポイントを挙げて説明したが、これに限ったものではない。ユーザーに付与される特典は、例えば商品の割引率やユーザーに対して発行される割引クーポンの枚数等であってもよい。
【００７４】
上記実施形態では、上記モバイル端末２００のユーザーが店舗にて商品代金の清算を行った際に、特典付与サーバー３００が、ユーザーの識別情報としてバーコード情報を発行するようにしているが、これに限ったものではない。レジ端末４００付近に配置した通信機器によって、モバイル端末２００のシムカードに記憶されたＩＤ番号を取得して、このＩＤ番号をユーザーの識別情報として発行するようにしてもよいし、モバイル端末２００のＭＡＣアドレスを取得して識別情報として発行するようにしてもよい。この場合、モバイル端末２００側では、アプリケーション２の起動後に（ステップＳ２０５の後に）、自動的に識別情報を特典付与サーバーに送ることができる。よって、ユーザーは、モバイル端末２００にバーコード画像を読み込ませる必要がなくなる。よって、ユーザーの利便性を向上させることができる。
【００７５】
また、上記実施形態では、ステップＳ３０４において、ユーザーに付与するポイント数を決定する際に、アプリ２のインストール時刻とインストール位置との双方を考慮するようにしているが、これに限ったものでなく、いずれか一方のみを考慮するようにしてもよい。この場合、ポイント数の計算式は、ポイント数＝基準ポイント数×時刻係数α、又はポイント数＝基準ポイント数×場所係数βとなる。
【００７６】
また、上記実施形態では、モバイル端末２００が位置測定部２０４を有していることを前提としているが、位置測定部２０４を有していないモバイル端末２００も存在する。この場合には、ユーザーに付与するポイント数を決定する際に、上記インストール位置を考慮せずにインストール時刻のみ考慮するようにすればよい。
【産業上の利用可能性】
【００７７】
以上説明したように、本発明は、アプリケーション提供システム、アプリケーション提供方法、ユーザー端末について有用である。
【符号の説明】
【００７８】
１        ：アプリケーション提供システム
２        ：アプリケーションソフトウェア
１００    ：アプリ配信サーバー
２００    ：モバイル端末
２０２    ：ネットワーク通信部
２０４    ：位置測定部
３００    ：特典付与サーバー
３０２    ：記憶部（場所記憶部、記憶部）
３０３ａ  ：バーコード情報発行部（識別情報発行部）
３０３ｂ  ：ユーザー認証部
３０３ｃ  ：ポイント付与部（特典付与部）
４００    ：レジ端末
４０２    ：バーコード印刷部（印刷部）
５００    ：インターネット
６００    ：ネットワーク
Ｔ        ：時間差
【図１】
2020106947.tif 000003
【図２】
2020106947.tif 000004
【図３】
2020106947.tif 000005
【図４】
2020106947.tif 000006
【図５】
2020106947.tif 000007
【図６】
2020106947.tif 000008
【図７】
2020106947.tif 000009
【図８】
2020106947.tif 000010
【図９】
2020106947.tif 000011
【図１０】
2020106947.tif 000012